(57)【要約】【課題】少ない駆動源で多くの可動物を連動させて斬新な演出をする遊技機を提供する。【解決手段】左右に開くように回動して常態から開状態に動作可能な一対の第１可動部材４１と、この第１可動部材４１の奥に配設され、常態では相互に接近した閉状態とされ、第１可動部材４１の開状態への動作終了後に、左右にスライドして開状態となる一対の第２可動部材４２と、常態では第２可動部材４２の後方に傾倒して隠れた傾倒状態で維持され、第２可動部材４２の開状態への動作終了後に、手前側上方に起き上がり、これによって開状態にある第１可動部材３１や第２可動部材４２の間からその前方に臨む位置となる第３可動部材４３と、一つのモータ４４と、このモータ４４によって各可動部材４１〜４３を順次作動させる駆動機構４６と、を備える演出用可動体４０を、センターケース１０の上部に設ける。【選択図】図４
2007202911.tif 000002
【特許請求の範囲】
【請求項１】
装飾枠用開口が形成された遊技盤と、
該遊技盤の装飾枠用開口に裏面側から取り付けられるカバー部材と、
図柄の変動表示を行う表示部を有し、前記カバー部材に取り付けられて前記表示部が遊技盤の前面に臨む表示装置本体と、
該表示装置本体の上方に配設され、前記カバー部材に取り付けられて遊技盤の前面に臨む演出用可動体と、
前記表示部及び演出用可動体を前面から視認可能とする開口を内側に有し、前記遊技盤の装飾枠用開口に前面側から取り付けられる装飾枠体と、を備えた遊技機において、
前記演出用可動体は、
複数の可動部材と、
該複数の可動部材を駆動するための一つのモータと、
該モータによって、前記複数の可動部材を順次作動させる駆動機構と、
当該演出用可動体の前面側に配設され、装飾が施される装飾部と、を有し、
前記複数の可動部材として、
前記装飾部に並んで取り付けられ、それぞれが遊技盤の盤面に略直交する前後方向の第１可動部材軸線を中心に回動可能とされ、常態ではそれぞれの先端部が接近した閉状態とされ、この閉状態からそれぞれの先端部が離れて開いた開状態に回動可能な一対の第１可動部材と、
該第１可動部材の奥手側に並んで配設され、前記前後方向に略直交する横方向に動作可能に設けられ、常態では相互に接近した閉状態とされ、前記第１可動部材の開状態への動作終了後に、前記横方向外側に動作して相互に離れた開状態となる一対の第２可動部材と、
該第２可動部材の略下方位置に前記横方向に配された第３可動部材軸線を中心として回動可能とされ、常態では前記第２可動部材の後方に一端側が傾倒して前記第２可動部材の奥手側下方に隠れた傾倒状態で維持され、前記第２可動部材の開状態への動作終了後に、前記第３可動部材軸線を中心とする回動によって一端側が手前側上方に動く起立動作を行い、この起立動作によって開状態にある前記第１可動部材や第２可動部材の間からその一端側が前方に臨む位置となる第３可動部材と、を備え、
前記駆動機構は、
前記装飾部に対して自転可能に支持され、前記モータにより駆動されて自転する駆動ギアと、
前記第１可動部材のそれぞれに固定状態に設けられ、各第１可動部材の後面から、それぞれの第１可動部材軸線上に伸びる第１回動軸と、
該第１回動軸の後端にそれぞれ固定された第１リンク部材と、
前記第１リンク部材のぞれぞれに固定状態に設けられ、前記第１可動部材軸線と平行に前方へ伸びる係合ピンと、
前記第１回動軸の後端の近傍下方位置に前記横方向に配された第１ギア軸線を中心として自転可能に支持され、前記駆動ギアと噛合して前記駆動ギアにより駆動されて自転する第１ギアと、
該第１ギアの同軸上に固定状態に延設されて、前記第１ギアと一体に回転する第１ギア軸と、
該第１ギア軸における前記第１リンク部材に対応する位置に固定状態に設けられ、外周の一部に切欠部が形成されて、前記第１ギア及び第１ギア軸と一体に回転する第１回転体と、
前記第１ギア軸線の前方斜め上方位置に前記第１ギア軸線と平行に配された第２リンク軸線を中心として揺動可能に支持され、前記係合ピンの先端が係合する係合部を有するとともに、常態では前記第１回転体の切欠部に嵌まり込む突片を有する第２リンク部材と、
前記第２可動部材の後面にそれぞれ固定状態に設けられ、後方に突出する係合軸を有するスライド部材と、
該スライド部材の下方にそれぞれ設けられ、前記第１可動部材軸線と平行な第３リンク軸線を中心として揺動可能とされ、前記スライド部材の係合軸が遊嵌される長孔を有するとともに、前記第３リンク軸線と平行に前方に突出する突出軸を有する第３リンク部材と、
前記第３可動部材軸線の下方に前記横方向に配された第２ギア軸線を中心として自転可能に支持され、前記駆動ギアと噛合して前記駆動ギアにより駆動されて自転する第２ギアと、
該第２ギアの同軸上に固定状態に設けられて、当該第２ギアと一体に回転する構成とされ、両側面に所定の溝部が形成された第２回転体と、
前記第２ギア軸線の前方斜め上方位置に前記第２ギア軸線と平行に配された第４リンク軸線を中心として揺動可能に支持され、前記第２回転体の一側面の溝部にはまり込んで摺動する第１摺動軸を有するとともに、前記第３リンク部材の突出軸が係合する突出軸係合部を有する第４リンク部材と、
一端側が、前記第３可動部材軸線と平行な連結軸によって前記第３可動部材の他端側に軸着され、他端側に、前記第２回転体の他側面の溝部にはまり込んで摺動する第２摺動軸を有する第５リンク部材と、からなり、
常態から前記モータが正転方向に作動すると、
このモータの正転に伴う前記第１ギアの回転により前記第１回転体が回転し、この回転に伴って前記第１回転体の切欠部に位置していた前記第２リンク部材の突片が押し上げられ、該突片が前記第１回転体の外周面に乗り上げるまで、前記第２リンク部材が常態位置から上方へ揺動し、この揺動に伴って前記第２リンク部材が前記係合部を介して前記係合ピンを押し上げることによって、前記第１リンク部材及び第１回転軸が回動して前記第１可動部材が閉状態から開状態に回動し、前記突片が前記第１回転体の外周面に乗り上げた後は、前記第１回転体がそれ以上回転しても、前記第２リンク部材の揺動が停止して前記第１可動部材が開状態に維持されるとともに、
前記モータの正転に伴う前記第２ギアの回転により前記第２回転体が回転し、前記第１可動部材が開状態となるまで前記第２回転体が回転する第１空回り回転範囲では、前記第４リンク部材が常態位置を維持するが、前記第１空回り回転範囲を超えて前記第２回転体がさらに回転する範囲では、前記第２回転体のさらなる回転に伴って前記第１摺動軸が前記一側面の溝部で押し上げられることにより前記第４リンク部材が常態位置から上方へ揺動し、この揺動に伴って前記第４リンク部材が前記突出軸係合部を介して前記突出軸を押し上げて前記第３リンク部材が常態位置から揺動し、さらにこの揺動に伴って前記第３リンク部材が前記長孔を介して前記スライド部材の係合軸を横方向に押すことによって、前記スライド部材が横方向に作動して前記第２可動部材が閉状態から開状態に作動し、前記第１摺動軸が前記一側面の溝部で押し上げられた後は、前記第２回転体がそれ以上回転しても、前記第４リンク部材の揺動が停止して前記第２可動部材が開状態に維持され、
さらに一方では、前記第２可動部材が開状態となるまで前記第２回転体が回転する第２空回り回転範囲では、前記第５リンク部材が常態位置を維持するが、前記第２空回り回転範囲を超えて前記第２回転体がさらに回転する範囲では、前記第２回転体のさらなる回転に伴って前記第２摺動軸が前記他側面の溝部で押し下げられることにより前記第５リンク部材が常態位置から下方へ移動し、この移動に伴って前記第５リンク部材が前記連結軸を介して前記第３可動部材の他端を押し下げることによって、前記第３可動部材の一端が起き上がるように揺動して前記第３可動部材が傾倒状態から起立状態に作動し、
こうして前記第１可動部材、第２可動部材、及び第３可動部材が順次作動する構成としたことを特徴とする遊技機。
【発明の詳細な説明】
【技術分野】
【０００１】
本発明は、パチンコ機などの遊技機に関する。
【背景技術】
【０００２】
近年、パチンコ機などの遊技機としては、遊技盤の略中央に液晶表示装置などの表示部を配置し、前記表示部を視認可能とする開口部が形成された装飾又は演出用のセンターケースを、前記表示部の周囲に配置したものが主流となっている。この種の遊技機の遊技領域内において遊技者が最も注視するセンターケースは、表示部の大型化の影響もあって、大型化や複雑化が進み、それに伴ってセンターケース内に可動部材を配設することや、可動部材を表示部の表示内容と絡めて複雑に動かすことにより、装飾効果や遊技の進行に関する演出を行うようにした遊技機が提案されている。
例えば特許文献１には、センターケースの両サイドに前後方向に機構等を配置した可動演出装置を配設し、常態では表示部の両脇に止まっている可動演出部材を表示部方向に動かして、表示内容と連動した可動演出を行うことで効果的な演出を行う遊技機が開示されている。この遊技機では、センターケースの表示用開口部の周囲に形成される周囲壁部の前側に配設された可動演出部材が、表示部側へ可動することで、表示部及び可動演出部材を含んで表示領域として装飾を行っていた。また、手前側から奥手側に向かって、可動演出部材、駆動力伝達部材を収納した台座部、電気的駆動源の順に配設することで、省スペース化を図っていた。
【０００３】
【特許文献１】特開２００４−１０５５１３号公報
【発明の開示】
【発明が解決しようとする課題】
【０００４】
しかし、特許文献１のような可動演出装置では、ひとつの可動演出部材をひとつの駆動源で作動させ、さらに、表示部側へ向かって一定方向にしか可動しないため、効果的に遊技の興趣を高められるようなものではなかった。
また、センターケースの可動演出部材は、常に一定の動きしかしないものが多く、遊技者にとってはどれも同じようにしか感じることができず、斬新な演出を行うことで遊技者の興趣を向上させたり、興味を引くものではない。しかしそこで可動物を複雑にして、遊技者の興味を引くような斬新な可動演出部材を配設しようとすると、必然的に駆動源の数が増え、それに伴いかなりのスペースを必要としてしまう。
【０００５】
そこで本発明は、上記のような問題点を解決するためになされたもので、少ない駆動源でより多くの可動物を連動させて作動させるとともに、斬新な演出を可能とする遊技機を提供することを目的とする。
【課題を解決するための手段】
【０００６】
本願請求項１に記載の遊技機は、装飾枠用開口が形成された遊技盤と、
該遊技盤の装飾枠用開口に裏面側から取り付けられるカバー部材と、
図柄の変動表示を行う表示部を有し、前記カバー部材に取り付けられて前記表示部が遊技盤の前面に臨む表示装置本体と、
該表示装置本体の上方に配設され、前記カバー部材に取り付けられて遊技盤の前面に臨む演出用可動体と、
前記表示部及び演出用可動体を前面から視認可能とする開口を内側に有し、前記遊技盤の装飾枠用開口に前面側から取り付けられる装飾枠体と、を備えた遊技機において、
前記演出用可動体は、
複数の可動部材と、
該複数の可動部材を駆動するための一つのモータと、
該モータによって、前記複数の可動部材を順次作動させる駆動機構と、
当該演出用可動体の前面側に配設され、装飾が施される装飾部と、を有し、
前記複数の可動部材として、
前記装飾部に並んで取り付けられ、それぞれが遊技盤の盤面に略直交する前後方向の第１可動部材軸線を中心に回動可能とされ、常態ではそれぞれの先端部が接近した閉状態とされ、この閉状態からそれぞれの先端部が離れて開いた開状態に回動可能な一対の第１可動部材と、
該第１可動部材の奥手側に並んで配設され、前記前後方向に略直交する横方向に動作可能に設けられ、常態では相互に接近した閉状態とされ、前記第１可動部材の開状態への動作終了後に、前記横方向外側に動作して相互に離れた開状態となる一対の第２可動部材と、
該第２可動部材の略下方位置に前記横方向に配された第３可動部材軸線を中心として回動可能とされ、常態では前記第２可動部材の後方に一端側が傾倒して前記第２可動部材の奥手側下方に隠れた傾倒状態で維持され、前記第２可動部材の開状態への動作終了後に、前記第３可動部材軸線を中心とする回動によって一端側が手前側上方に動く起立動作を行い、この起立動作によって開状態にある前記第１可動部材や第２可動部材の間からその一端側が前方に臨む位置となる第３可動部材と、を備え、
前記駆動機構は、
前記装飾部に対して自転可能に支持され、前記モータにより駆動されて自転する駆動ギアと、
前記第１可動部材のそれぞれに固定状態に設けられ、各第１可動部材の後面から、それぞれの第１可動部材軸線上に伸びる第１回動軸と、
該第１回動軸の後端にそれぞれ固定された第１リンク部材と、
前記第１リンク部材のぞれぞれに固定状態に設けられ、前記第１可動部材軸線と平行に前方へ伸びる係合ピンと、
前記第１回動軸の後端の近傍下方位置に前記横方向に配された第１ギア軸線を中心として自転可能に支持され、前記駆動ギアと噛合して前記駆動ギアにより駆動されて自転する第１ギアと、
該第１ギアの同軸上に固定状態に延設されて、前記第１ギアと一体に回転する第１ギア軸と、
該第１ギア軸における前記第１リンク部材に対応する位置に固定状態に設けられ、外周の一部に切欠部が形成されて、前記第１ギア及び第１ギア軸と一体に回転する第１回転体と、
前記第１ギア軸線の前方斜め上方位置に前記第１ギア軸線と平行に配された第２リンク軸線を中心として揺動可能に支持され、前記係合ピンの先端が係合する係合部を有するとともに、常態では前記第１回転体の切欠部に嵌まり込む突片を有する第２リンク部材と、
前記第２可動部材の後面にそれぞれ固定状態に設けられ、後方に突出する係合軸を有するスライド部材と、
該スライド部材の下方にそれぞれ設けられ、前記第１可動部材軸線と平行な第３リンク軸線を中心として揺動可能とされ、前記スライド部材の係合軸が遊嵌される長孔を有するとともに、前記第３リンク軸線と平行に前方に突出する突出軸を有する第３リンク部材と、
前記第３可動部材軸線の下方に前記横方向に配された第２ギア軸線を中心として自転可能に支持され、前記駆動ギアと噛合して前記駆動ギアにより駆動されて自転する第２ギアと、
該第２ギアの同軸上に固定状態に設けられて、当該第２ギアと一体に回転する構成とされ、両側面に所定の溝部が形成された第２回転体と、
前記第２ギア軸線の前方斜め上方位置に前記第２ギア軸線と平行に配された第４リンク軸線を中心として揺動可能に支持され、前記第２回転体の一側面の溝部にはまり込んで摺動する第１摺動軸を有するとともに、前記第３リンク部材の突出軸が係合する突出軸係合部を有する第４リンク部材と、
一端側が、前記第３可動部材軸線と平行な連結軸によって前記第３可動部材の他端側に軸着され、他端側に、前記第２回転体の他側面の溝部にはまり込んで摺動する第２摺動軸を有する第５リンク部材と、からなり、
常態から前記モータが正転方向に作動すると、
このモータの正転に伴う前記第１ギアの回転により前記第１回転体が回転し、この回転に伴って前記第１回転体の切欠部に位置していた前記第２リンク部材の突片が押し上げられ、該突片が前記第１回転体の外周面に乗り上げるまで、前記第２リンク部材が常態位置から上方へ揺動し、この揺動に伴って前記第２リンク部材が前記係合部を介して前記係合ピンを押し上げることによって、前記第１リンク部材及び第１回転軸が回動して前記第１可動部材が閉状態から開状態に回動し、前記突片が前記第１回転体の外周面に乗り上げた後は、前記第１回転体がそれ以上回転しても、前記第２リンク部材の揺動が停止して前記第１可動部材が開状態に維持されるとともに、
前記モータの正転に伴う前記第２ギアの回転により前記第２回転体が回転し、前記第１可動部材が開状態となるまで前記第２回転体が回転する第１空回り回転範囲では、前記第４リンク部材が常態位置を維持するが、前記第１空回り回転範囲を超えて前記第２回転体がさらに回転する範囲では、前記第２回転体のさらなる回転に伴って前記第１摺動軸が前記一側面の溝部で押し上げられることにより前記第４リンク部材が常態位置から上方へ揺動し、この揺動に伴って前記第４リンク部材が前記突出軸係合部を介して前記突出軸を押し上げて前記第３リンク部材が常態位置から揺動し、さらにこの揺動に伴って前記第３リンク部材が前記長孔を介して前記スライド部材の係合軸を横方向に押すことによって、前記スライド部材が横方向に作動して前記第２可動部材が閉状態から開状態に作動し、前記第１摺動軸が前記一側面の溝部で押し上げられた後は、前記第２回転体がそれ以上回転しても、前記第４リンク部材の揺動が停止して前記第２可動部材が開状態に維持され、
さらに一方では、前記第２可動部材が開状態となるまで前記第２回転体が回転する第２空回り回転範囲では、前記第５リンク部材が常態位置を維持するが、前記第２空回り回転範囲を超えて前記第２回転体がさらに回転する範囲では、前記第２回転体のさらなる回転に伴って前記第２摺動軸が前記他側面の溝部で押し下げられることにより前記第５リンク部材が常態位置から下方へ移動し、この移動に伴って前記第５リンク部材が前記連結軸を介して前記第３可動部材の他端を押し下げることによって、前記第３可動部材の一端が起き上がるように揺動して前記第３可動部材が傾倒状態から起立状態に作動し、
こうして前記第１可動部材、第２可動部材、及び第３可動部材が順次作動する構成としたことを特徴とする。
【発明の効果】
【０００７】
請求項１に記載の遊技機によれば、表示装置本体（即ち、表示部）の上方に配置された複数の可動部材（第１〜第３可動部材）が順次各方向に作動するという今までにない斬新な演出を行うことができる。特に、第１可動部材が開動し、さらに第２可動部材が開動した後、これらの間に第３可動部材が起き上がってくるという複雑で新しい複数の可動部材の連携動作が実現でき、高い演出効果が得られる。
また、表示部での表示内容に絡めて上記可動部材の動作を行うことで、装飾枠体内全てを有効に利用して装飾領域とすることができる。
また、上記可動部材の動作タイミングと表示部の表示演出、遊技の進行等を同期させる等すれば、通常分かりづらい予告や報知等を確実に遊技者に印象づけることができる効果もある。
しかも本遊技機では、一つの共通のモータによって各可動部材を駆動しているため、例えば各可動部材を別個のモータで駆動する構成に比較して、部品点数が少なくて済み、無駄なスペースを設ける必要がない。
また、駆動機構は、各回転軸やリンク部材やギア等が隣接して入り組んだ状態で密に配置可能な構成であるとともに、第２可動部材と第３可動部材の回転を駆動制御するカム機構を構成する回転体が、一つの回転体（即ち、第２回転体）によって実現されているため、３個の可動部の駆動機構としてはコンパクトなものとなり、この点でも省スペース化が可能となる。
【発明を実施するための最良の形態】
【０００８】
以下、本発明の実施の形態として、パチンコ機に適用した場合の形態例を、図面を参照して説明する。
Ａ．遊技機の正面構成
図１は本形態例のパチンコ機の遊技盤を示す正面図である。図１において、符号１は遊技盤であり、前面の略円形領域がガイドレール２で囲まれることにより遊技領域３が形成されている。
【０００９】
遊技盤１の前面には、図１に示すように、アウト球流入口４、センターケース１０、始動入賞口１１、変動入賞装置１３、複数の一般入賞口１４、多数の障害釘（図示省略）などが設けられている。なお本例の場合、センターケース１０の右辺部には、遊技球１個分だけの幅の遊技球流下領域１０ａが形成されており、センターケース１０の右側に打ち込まれた遊技球は、この遊技球流下領域１０ａを１個ずつ流下する。
【００１０】
センターケース１０は、遊技盤１の裏側に取り付けられる表示装置本体５（図３に示す）の表示部６の周囲を囲む部材である。このセンターケース１０は、内側に後方に窪む凹部を有し、この凹部の奥手面を開口して前記表示部６を前方に臨ませる構成である。
そして、このセンターケース１０の凹部の底部には、遊技球が転動可能ないわゆる球見せ用のステージ２１が形成されている。ここで、ステージ２１は、所定の確率で遊技球を始動入賞口１１に誘導する機能を有する。
【００１１】
また、センターケース１０の下部左側には、センターケース１０の左側に打ち込まれた遊技球を始動入賞口１１の方に誘導する誘導流路２２が形成されている。また、センターケース１０の左辺側には、遊技球をセンターケース１０内に誘導するワープ口２３が設けられている。このワープ口２３には、例えばセンターケース１０の上に流下して左に流れ落ちた遊技球等が、図示しない障害釘に当って、ある程度の確率で流入するようになっている。また、このように流入した遊技球は、ワープ口２３から、ステージ２１に流下する構成となっている。
また、センターケース１０の上部（表示部６の上方）には、演出用可動体４０（ロボットユニット）が設けられている。なお、センターケース１０の詳細構成（主に演出用可動体４０の構成）については、後述する。
【００１２】
次に表示装置本体５は、数字や文字などの識別情報（場合により特図という）を表示可能な表示部６（画面）を有するもの（例えば、液晶表示装置よりなるもの）であり、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また、表示部６には、上記特図とは別個に背景画像やキャラクタ画像などの演出用又は情報報知用の画像が表示可能である。
【００１３】
また、変動入賞装置１３は、後述する大当りになったことを条件として開放される大入賞口１３ａを有する装置である。
また、始動入賞口１１は、特図の始動入賞口として機能する入賞口である。
【００１４】
Ｂ．センターケースの構成
次に、センターケース１０の構成について、図２〜図３を参照して説明する。図２は、センターケース１０（演出用可動体４０の各可動部材が全て作動した状態）を示す正面図である。また図３は、センターケース１０を示す分解斜視図である。
【００１５】
センターケース１０は、遊技盤１の前面側から取り付けられる装飾枠体３１と、遊技盤１の裏面側から取り付けられるカバー部材３２と、を含む。なお、遊技盤１の前面側に取り付けられる部材（この場合、装飾枠体３１等）のみをセンターケースと呼ぶこともあるが、本例では、装飾枠体３１とカバー部材３２を含めてセンターケース１０と称する。
遊技盤１を構成する基板（いわゆるベニヤ）には、上記装飾枠体３１を取り付けるための装飾枠用開口（図示省略）が形成され、上記装飾枠体３１は、遊技盤１の前面からこの装飾枠用開口にはめ込まれて取り付けられる。また、カバー部材３２は、この遊技盤１の装飾枠用開口に裏面側から取り付けられる。
【００１６】
ここで、装飾枠体３１は、内側が前後に開口する枠状のものであり、カバー部材３２の後述する表示用開口部３３を介して表示装置本体５の表示部６や前述の演出用可動体４０を前面から視認可能とする。
また装飾枠体３１の上辺部には、前方に突出する鎧部３４が設けられている。鎧部３４は、遊技球が前述の演出用可動体４０や表示部６の前面に落下しないようにする部分であり、本例の場合には、打ち込まれた遊技球を主にセンターケース１０の左側に誘導する。
なお図３に示す如く、ステージ２１は、この装飾枠体３１の下端部に設けられている。また、遊技球流下領域１０ａは、この装飾枠体３１の右辺部に設けられている。
【００１７】
一方、カバー部材３２は、前記表示装置本体５や演出用可動体４０が内側に取り付けられる部材であり、前記表示部６や演出用可動体４０を前面に臨ませる表示用開口部３３を前面に有する部材である。
なお、前記表示装置本体５は、カバー部材３２内の比較的下部に取り付けられ、前述の演出用可動体４０は、カバー部材３２内の比較的上部（即ち、前記表示装置本体５の上方）に取り付けられる。この場合、前記表示装置本体５は、上側が奥手にいくように傾斜させて配設され、これによって、カバー部材３２内の上部に演出用可動体４０を配置するスペースが確保されている。
【００１８】
Ｃ．演出用可動体の構成
次に、演出用可動体４０（ロボットユニット）の構成について、図４〜図１１を参照して説明する。図４は、演出用可動体４０の前面図であり、（ａ）は常態を（ｂ）は第３作動状態（後述する）を表す。図５は、演出用可動体４０の要部の常態を示す図であり、（ａ）は前面側斜視図、（ｂ）は裏面側斜視図である。図６は、演出用可動体４０の要部の第１作動状態（後述する）を示す図であり、（ａ）は前面側斜視図、（ｂ）は裏面側斜視図である。図７は、演出用可動体４０の要部の第２作動状態（後述する）を示す図であり、（ａ）は前面側斜視図、（ｂ）は裏面側斜視図である。図８は、演出用可動体４０の要部の第３作動状態を示す図であり、（ａ）は前面側斜視図、（ｂ）は裏面側斜視図である。図９は、第１可動部材及びその駆動機構部分を示す裏面側斜視図であり、（ａ）は第１可動部材の常態を（ｂ）は第１可動部材の作動状態を表す。図１０は、第２可動部材及びその駆動機構部分を示す裏面側斜視図であり、（ａ）は第２可動部材の常態を（ｂ）は第２可動部材の作動状態を表す。図１１は、第３可動部材及びその駆動機構部分を示す側面図であり、（ａ）は第３可動部材の常態を（ｂ）は第３可動部材の作動状態を表す。
【００１９】
演出用可動体４０は、図４に示すように、中央の上体部４０ａと、左右の腕部４０ｂ、４０ｃとに分けられる。このうち、中央の上体部４０ａは、遊技機の演出用キャラクターであるロボットの胴体（上半身）と顔を表す部分であり、左右の腕部４０ｂ、４０ｃは前記ロボットの腕を表す。この場合、上体部４０ａに本発明が適用されているため、腕部４０ｂ、４０ｃについては、詳細な説明を省略する。
上体部４０ａは、複数の可動部材（第１可動部材４１、第２可動部材４２、第３可動部材４３）と、これら複数の可動部材を駆動するための一つのモータ４４（図５等に示す）と、このモータ４４によって、前記複数の可動部材を順次作動させる駆動機構４６と、当該演出用可動体４０（上体部４０ａ）の前面側に配設され、装飾が施される装飾部４７と、を有する。
ここで、装飾部４７は、上体部４０ａの前面を装飾する部材である。なお、装飾部４７（或いはさらに、この装飾部４７の裏面側に固定される図示省略した部材）は、演出用可動体４０全体のベースとなる部材であり、カバー部材３２に対して固定状態に取り付けられる。また、各可動部材４１〜４３や駆動機構４６の後述する各可動部品は、固定された上記装飾部４７等に対して支持されて作動する構成となっている。
【００２０】
次に、複数の可動部材を説明する。
第１可動部材４１は、装飾部４７に左右に並んで取り付けられ、それぞれが遊技盤１の盤面に略直交する前後方向の第１可動部材軸線Ｘ１を中心に回動可能とされ、常態ではそれぞれの先端部が接近した閉状態とされ（図５参照）、この閉状態からそれぞれの先端部が離れて開いた開状態（図６に示す）に回動可能な一対の部材である。
なお、第１可動部材軸線Ｘ１は、図５等に示す軸線（前後方向の軸線）である。
第２可動部材４２は、前記第１可動部材４１の奥手側に並んで配設され、前記前後方向に略直交する横方向（この場合、左右方向）にスライド動作可能に設けられ、常態では相互に接近した閉状態とされ（図５参照）、前記第１可動部材４１の開状態への動作終了後に、前記横方向外側に動作して相互に離れた開状態（図７に示す）となる一対の部材である。
【００２１】
第３可動部材４３は、前記第２可動部材４２の略下方位置に前記横方向に配された第３可動部材軸線Ｘ３を中心として回動可能とされ、常態では前記第２可動部材４２の後方に傾倒して前記第２可動部材４２の奥手側下方に隠れた傾倒状態で維持され（図５（ｂ）参照）、前記第２可動部材４２の開状態への動作終了後に、前記第３可動部材軸線Ｘ３を中心とする回動によって一端側が手前側上方に動く起立動作を行い（図８参照）、この起立動作によって開状態にある前記第１可動部材４１や第２可動部材４２の間からその一端側が前方に臨む位置となる部材である。
なお、この第３可動部材４３の一端側（起立状態において上端側となる部分）は、前記ロボットの顔を表す。
また、第３可動部材軸線Ｘ３は、図１１に示す軸線（図１１の紙面に直交する左右方向の軸線）である。
また、第３可動部材４３は、常態において、水平姿勢まで倒れる態様でもよいし、後方に向かって一端側が斜め下向きとなる角度まで倒れる態様でもよい。本発明における「傾倒」とは、そのような角度姿勢まで倒れた状態を含む。
【００２２】
また本明細書では、各可動部材（第１可動部材４１、第２可動部材４２、第３可動部材４３）が全て常態にある状態を、演出用可動体４０（上体部４０ａ）の常態といい、第１可動部材４１のみが開状態にあって第２可動部材４２と第３可動部材４３が常態にある状態を、演出用可動体４０（上体部４０ａ）の第１作動状態といい、第１可動部材４１と第２可動部材４２が開状態にあって第３可動部材４３が常態にある状態を、演出用可動体４０（上体部４０ａ）の第２作動状態といい、第１可動部材４１と第２可動部材４２が開状態にあって第３可動部材４３が起立状態にある状態を、演出用可動体４０（上体部４０ａ）の第３作動状態という。
【００２３】
次に、駆動機構４６について説明する。
図５等に示すように、駆動機構４６は、装飾部４７の裏面側下方に設けられた機構であり、駆動ギア５０、第１回動軸５１、第１リンク部材５２、係合ピン５３、第１ギア５４、第１ギア軸５５、第１回転体５７、第２リンク部材６０、スライド部材６３（図１０参照）、第３リンク部材６６、第２ギア６７、第２回転体７０、第４リンク部材７３、及び第５リンク部材７６（図１１参照）よりなる。
駆動ギア５０は、前記装飾部４７に対して自転可能に支持され、前記モータ４４により駆動されて自転するギアである。なおモータ４４は、装飾部４７に対して当然固定状態に設けられる。
【００２４】
第１回動軸５１は、前記第１可動部材４１のそれぞれに固定状態に設けられ、各第１可動部材４１の後面から、それぞれの第１可動部材軸線Ｘ１上に前記第３可動部材軸線Ｘ３よりも後方に伸びる回動軸である。
第１リンク部材５２は、該第１回動軸５１の後端にそれぞれ固定された部材である。
係合ピン５３は、前記第１リンク部材５２のぞれぞれに固定状態に設けられ、前記第１可動部材軸線Ｘ１と平行に前方へ伸びるピン状部分である。
第１ギア５４は、前記第１回動軸５１の後端の近傍下方位置に横方向（この場合、左右方向）に配された第１ギア軸線ＸＧ１を中心として自転可能に支持され、前記駆動ギア５０の後側と噛合して前記駆動ギア５０により駆動されて自転するギアである。
なお、第１ギア軸線ＸＧ１は、図９等に示す軸線（左右方向の軸線）であり、第１ギア５４、第１ギア軸５５、及び第１回転体５７が、この軸線を中心に配置される。
【００２５】
第１ギア軸５５は、第１ギア５４の同軸上左右両方向に固定状態に延設されて、前記第１ギア５４と一体に回転する軸である。
第１回転体５７は、第１ギア軸５５における前記第１リンク部材５２に対応する位置に固定状態に設けられ、外周の一部に切欠部５６が形成されて、前記第１ギア５４及び第１ギア軸５５と一体に回転する回転体である。
第２リンク部材６０は、前記第１ギア軸線ＸＧ１の前方斜め上方位置に前記第１ギア軸線ＸＧ１と平行に配された第２リンク軸線ＸＲ２を中心として揺動可能に支持され、前記係合ピン５３の先端が係合する係合部５８を有するとともに、常態では前記第１回転体５７の切欠部５６に嵌まり込む突片５９を有するリンク部材である。
なお、第２リンク軸線ＸＲ２は、図５（ｂ）に示す軸線（左右方向の軸線）である。
【００２６】
スライド部材６３は、図１０に示すように、前記第２可動部材４２の後面にそれぞれ固定状態に設けられ、下方に向けて伸びる突出片６１から後方に突出する係合軸６２を有する部材である。
第３リンク部材６６は、図１０に示すように、スライド部材６３の下方にそれぞれ設けられ、前記第１可動部材軸線Ｘ１と平行な第３リンク軸線ＸＲ３を中心として揺動可能とされ、前記スライド部材６３の係合軸６２が遊嵌される長孔６４を有するとともに、前記第３リンク軸線ＸＲ３と平行に前方に突出する突出軸６５をするリンク部材である。
なお、第３リンク軸線ＸＲ３は、図１０に示す軸線（前後方向の軸線）である。
【００２７】
第２ギア６７は、第３可動部材軸線Ｘ３の下方に横方向（この場合、左右方向）に配された第２ギア軸線ＸＧ２を中心として自転可能に支持され、前記駆動ギア５０の前側に噛合して前記駆動ギア５０により駆動されて自転するギアである。
なお、第２ギア軸線ＸＧ２は、図１０や図１１等に示す軸線（左右方向の軸線）であり、第２ギア６７、及び第２回転体７０が、この軸線を中心に配置される。
第２回転体７０は、第２ギア６７の同軸上に固定状態に設けられて、第２ギア６７と一体に回転する構成とされ、両側面に所定の溝部６８，６９（図１０や図１１参照）が形成された回転体である。
【００２８】
第４リンク部材７３は、図１０に示すように、第２ギア軸線ＸＧ２の前方斜め上方位置に前記第２ギア軸線ＸＧ２と平行に配された第４リンク軸線ＸＲ４を中心として揺動可能に支持され、前記第２回転体７０の一側面の溝部６９にはまり込んで摺動する第１摺動軸７１を有するとともに、前記第３リンク部材６６の突出軸６５が係合する突出軸係合部７２を有するリンク部材である。
なお、第４リンク軸線ＸＲ４は、図１０等に示す軸線（左右方向の軸線）である。
また、図１０に示すように、前記第４リンク部材７３の第１摺動軸７１を相対的に摺動させる前記第２回転体７０の一側面の溝部６９は、常態より前記第１可動部４１の開状態への動作が終了する範囲（即ち、後述する第１空回り回転範囲）までは、第１摺動軸７１が軸周縁部（第２ギア軸線ＸＧ２の比較的近傍位置）を摺動し、前記第１可動部材４１が開状態となった後（第１作動状態に到達後）には、第１摺動軸７１が軸周縁部よりも外側（第２ギア軸線ＸＧ２から径方向に比較的離れた位置）を摺動する形状となっている。そして、このように軸周縁部よりも外側を第１摺動軸７１が摺動する部分（大径部分）の溝部６９の内面が、後述する大径周面６９ａを構成し、その手前の周方向に対して傾斜した内面が後述する押上用内面６９ｂを構成している（図１０参照）。
【００２９】
第５リンク部材７６は、図１１に示すように、その一端側が、前記第３可動部材軸線Ｘ３と平行な連結軸７４によって前記第３可動部材４３の他端側に軸着され、その他端側に、前記第２回転体７０の他側面の溝部６８にはまり込んで摺動する第２摺動軸７５を有し、前記第２回転体７０の回転に伴って前記第２摺動軸７５が前記溝部６８の終端６８ａで押されることにより作動し、この作動に伴って前記連結軸７４を介して前記第３可動部材４３の他端側を押し下げることによって、前記第３可動部材４３を前記傾倒状態から起立状態に作動させるリンク部材である。
なお、前記第５リンク部材７６の第２摺動軸７５を相対的に摺動させる前記第２回転体７０の他側面の溝部６８は、常態より前記第１可動部材４１及び前記第２可動部材４２の開状態への動作が終了する範囲（即ち、後述する第２空回り回転範囲）までは、溝部６８の長手方向（周方向）に沿うように第２摺動軸７５が相対的に摺動し、前記第１可動部材及び前記第２可動部材が開状態となった後（第２作動状態に到達後）には、前記第２摺動軸７５が溝部６８の終端６８ａの壁部に押されて第２回転体７０と一体的に回転運動する形状となっている。
【００３０】
Ｄ．演出用可動体の動作
次に、演出用可動体４０（上体部４０ａ）の動作について説明する。
まず、モータ４４の回転方向について説明する。各可動部材４１〜４３を状態から各作動状態に向けて動かす正転方向は、図５（ｂ）等に矢印で示す方向に駆動ギア５０や第１ギア５４等が作動する方向である。ちなみに、図１０や図１１に矢印で示す方向は、モータ４４が正転した場合の第２回転体７０の回転方向である。
常態からモータ４４が上記正転方向に作動すると、このモータ４４の正転に伴う第１ギア５４の回転により第１回転体５７が回転し、この回転に伴って第１回転体５７の切欠部５６に位置していた第２リンク部材６０の突片５９が切欠部５６の内面によって押し上げられ、該突片５９が図９（ｂ）のように第１回転体５７の外周面（切欠部５６でない部分）に乗り上げるまで、第２リンク部材６０が常態位置から上方へ揺動し、この揺動に伴って第２リンク部材６０が係合部５８を介して係合ピン５３を押し上げることによって、第１リンク部材５２及び第１回転軸５１が回動して第１可動部材４１が閉状態から開状態に回動し（図９（ｂ）参照）、前記突片５９が第１回転体５７の外周面に乗り上げた後は、第１回転体５７がそれ以上回転しても、第２リンク部材６０の揺動が停止して第１可動部材４１が所定の開状態となった第１作動状態に維持される。
【００３１】
そして、モータ４４の正転に伴う第２ギア６７の回転により第２回転体７０が回転し、第１可動部材４１が開状態となるまで（即ち、第１作動状態まで）第２回転体７０が回転する第１空回り回転範囲では、前記第１摺動軸７１が溝部６９の大径部分よりも手前側（第２回転体７０の軸周縁部）を周方向に摺動しており、第４リンク部材７３が常態位置を維持するが、前記第１空回り回転範囲を超えて第２回転体７０がさらに回転する範囲では、第２回転体７０のさらなる回転に伴って前記第１摺動軸７１が前記溝部６９の押上用内面６９ｂ（図１０に示す）で押し上げられることにより第４リンク部材７３が常態位置から上方へ揺動し、この揺動に伴って第４リンク部材７３が前記突出軸係合部７２を介して前記突出軸６５を押し上げて第３リンク部材６６が常態位置から揺動し、さらにこの揺動に伴って第３リンク部材６６が前記長孔６４を介してスライド部材６３の係合軸６１を横方向に押すことによって、スライド部材６３が横方向（この場合、左右方向）に作動して第２可動部材４２が閉状態から開状態に作動する。そして、前記第１摺動軸７１が前記溝部６９の押上用内面６９ｂで押し上げられた後（大径周面６９ａに乗り上げた後）は、第２回転体７０がそれ以上回転しても、第４リンク部材７３の揺動が停止して第２可動部材４２が所定の開状態となった第２作動状態に維持される。
【００３２】
さらに一方では、第２可動部材４２が開状態となるまで第２回転体７０が回転する第２空回り回転範囲では、前記第２摺動軸７５が溝部６８内を周方向に相対的に摺動し、第５リンク部材７６が常態位置を維持するが、前記第２空回り回転範囲を超えて第２回転体７０がさらに回転する範囲では、前記第２回転体７０のさらなる回転に伴って前記第２摺動軸７５が前記溝部６８の終端６８ａで図１１（ａ）の矢印の方向に押し下げられることにより前記第５リンク部材７６が常態位置から斜め下方へ移動し、この移動に伴って前記第５リンク部材７６が前記連結軸７４を介して前記第３可動部材４３の他端（起立状態では下端となる端部）を押し下げることによって、前記第３可動部材４３の一端が起き上がるように揺動して前記第３可動部材４３が傾倒状態（図１１（ａ）に示す）から起立状態（図１１（ｂ）に示す）に作動した第３作動状態となる。
こうして第１可動部材４１、第２可動部材４２、及び第３可動部材４３が順次作動し、常態から第１作動状態へ、第１作動状態から第２作動状態へ、さらに第２作動状態から第３作動状態へと、一つのモータ４４によって、順次各可動部材４１〜４３が作動する。
【００３３】
なお、モータ４４が逆転すると、上記とは逆の動作が可能となる。この場合、途中で逆に作動すること（例えば、常態から第１作動状態を経て第２作動状態へ作動した後、第２作動状態から第１作動状態へ戻るといった動作）も可能である。
【００３４】
Ｅ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、表示装置本体５の画面（表示部６）には客待ち画像（動画又は静止画）が表示される。
ガイドレール２を介して遊技領域３に打込まれた遊技球が、始動入賞口１１に入賞すると（即ち、特図の始動入賞があると）、表示部６において特図の変動表示が行われて、変動表示ゲームが実行される。
【００３５】
そして、見かけ上、この変動表示ゲームの表示部６における特図の停止表示態様（変動表示により導出された特図の組合せ）が特別表示態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。また、変動表示ゲームの停止表示態様が特定の態様（例えば、「７、７、７」などのゾロ目）であれば、上記大当りになるとともに、大当り遊技後（後述する開放動作後）に、大当りになる確率を高める制御が行われる状態（確率変動状態）となる。
また、上記変動表示ゲームの終了前には、場合によりリーチアクションと呼ばれる特別な演出（例えば、特図の２列分を同じ図柄とし、残りの１列分の図柄をゆっくり変動させる動作）が表示部６において実行される。
【００３６】
上記大当り状態になると、変動入賞装置１３の大入賞口１３ａが、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画像の表示が、表示部６で実行される。
【００３７】
また、上記特図の変動表示ゲーム中又は大当り中に、始動入賞口１１にさらに遊技球が入賞したときには、この場合表示部６で特図始動記憶表示が行われて４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、何れかの特図の変動表示ゲームが大当たりで終了すれば大当たり状態に移行し、何れかの変動表示ゲームがはずれで終了し何れかの特図の始動記憶があれば再度その始動記憶に応じた変動表示ゲームが実行され、何れかの変動表示ゲームがはずれで終了し始動記憶がなければ客待ち状態に戻り、大当たりが終了して何れかの特図の始動記憶があれば再度その始動記憶に対応した変動表示ゲームが実行され、大当たりが終了して何れの特図についても始動記憶がなければ客待ち状態に戻る流れとなっている。
【００３８】
なお、以上説明したような遊技の流れにおいて、どの状態において前述の演出用可動体４０の動作（常態から第１作動状態、第２作動状態、或いは第３作動状態への動作、又はその逆の動作）を実行するかは、特に限定されるものではない。例えば特図が大当りした状態を演出するために、特図の大当り後に前述の何れかの動作が実行されてもよいし、特図が大当りする可能性を予告するために、特図の大当り前に前述の何れかの動作が実行されてもよい。或いは、例えば確率変動状態を演出するために、確率変動状態への移行後に前述の何れかの動作が実行されてもよいし、確率変動状態に移行する可能性を予告するために、確率変動状態への移行前に前述の何れかの動作が実行されてもよい。或いは、遊技進行上のなんらかの状態（特に認識し難い状態）を報知するために、前述の何れかの動作を実行してもよい。
【００３９】
以上説明した本例の遊技機によれば、表示装置本体５（即ち、表示部６）の上方に配置された複数の可動部材（第１〜第３可動部材４１〜４３）が順次各方向に作動するという今までにない斬新な演出を行うことができる。特に、第１可動部材４１が開動し、さらに第２可動部材４２が開動した後、これらの間に第３稼動部材４３が起き上がってくるという複雑で新しい複数の可動部材の連携動作が実現でき、高い演出効果が得られる。
また、表示部６での表示内容に絡めて上記可動部材の動作を行うことで、センターケース１０内全てを有効に利用して装飾領域とすることができる。
また、上記可動部材の動作タイミングと表示部６の表示演出、遊技の進行等を同期させる等すれば、通常分かりづらい予告や報知等を確実に遊技者に印象づけることができる効果もある。
しかも本遊技機では、一つの共通のモータ４４によって各可動部材を駆動しているため、例えば各可動部材を別個のモータで駆動する構成に比較して、部品点数が少なくて済み、無駄なスペースを設ける必要がない。
また、駆動機構４６は、各回転軸やリンク部材やギア等が隣接して入り組んだ状態で密に配置された構成であるとともに、第２可動部材４２と第３可動部材４３の回転を駆動制御するカム機構を構成する回転体が、一つの回転体（即ち、第２回転体７０）によって実現されているため、３個の可動部の駆動機構としてはコンパクトなものとなり、この点でも省スペース化が可能となる。
【００４０】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００４１】
【図１】パチンコ機の遊技盤を示す正面図である。
【図２】センターケースを示す正面図である。
【図３】センターケースや表示装置本体を示す分解斜視図である。
【図４】演出用可動体の前面図であり、（ａ）は常態を（ｂ）は第３作動状態を表す。
【図５】演出用可動体の要部の常態を示す図であり、（ａ）は前面側斜視図、（ｂ）は裏面側斜視図である。
【図６】演出用可動体の要部の第１作動状態を示す図であり、（ａ）は前面側斜視図、（ｂ）は裏面側斜視図である。
【図７】演出用可動体の要部の第２作動状態を示す図であり、（ａ）は前面側斜視図、（ｂ）は裏面側斜視図である。
【図８】演出用可動体の要部の第３作動状態を示す図であり、（ａ）は前面側斜視図、（ｂ）は裏面側斜視図である。
【図９】第１可動部材及びその駆動機構部分を示す裏面側斜視図であり、（ａ）は第１可動部材の常態を、（ｂ）は第１可動部材の作動状態を表す。
【図１０】第２可動部材及びその駆動機構部分を示す裏面側斜視図であり、（ａ）は第２可動部材の常態を、（ｂ）は第２可動部材の作動状態を表す。
【図１１】第３可動部材及びその駆動機構部分を示す側面図であり、（ａ）は第３可動部材の常態を、（ｂ）は第３可動部材の作動状態を表す。
【符号の説明】
【００４２】
１  遊技盤
３  遊技領域
５  表示装置本体
６  表示部
１０  センターケース
３１  装飾枠体
３２  カバー部材
４０  演出用可動体
４１  第１可動部材
４２  第２可動部材
４３  第３可動部材
４４  モータ
４６  駆動機構
４７  装飾部
５０  駆動ギア
５１  第１回動軸
５２  第１リンク部材
５３  係合ピン
５４  第１ギア
５５  第１ギア軸
５７  第１回転体
６０  第２リンク部材
６３  スライド部材
６６  第３リンク部材
６７  第２ギア
６８  他側面の溝部
６９  一側面の溝部
７０  第２回転体
７１  第１摺動軸
７３  第４リンク部材
７５  第２摺動軸
７６  第５リンク部材
【図１】
2007202911.tif 000003
【図２】
2007202911.tif 000004
【図３】
2007202911.tif 000005
【図４】
2007202911.tif 000006
【図５】
2007202911.tif 000007
【図６】
2007202911.tif 000008
【図７】
2007202911.tif 000009
【図８】
2007202911.tif 000010
【図９】
2007202911.tif 000011
【図１０】
2007202911.tif 000012
【図１１】
2007202911.tif 000013